(57)【要約】【課題】記録媒体の空き容量が無くなったなどの理由で撮影が自動終了した動画像を再生する際の、再生終了時の唐突感を低減させる。【解決手段】被写体を撮影して得られた動画像を記録媒体に記録する撮像装置において、撮影中の動画像の撮影可能な残り時間を取得し、取得した残り時間が所定の時間以下であるとき、記録媒体に記録されている画像の一部を撮影中の動画像に組み合わせて記録媒体に記録する。【選択図】図１
2008288830.tif 000002
【特許請求の範囲】
【請求項１】
被写体を撮影して得られた動画像を記録媒体に記録する撮像装置において、
撮影中の動画像の撮影可能な残り時間を取得する残時間取得手段と、
前記残時間取得手段により取得した前記残り時間が所定の時間以下であるとき、前記記録媒体に記録されている画像の一部を撮影中の動画像に組み合わせて前記記録媒体に記録する記録手段と
を備えたことを特徴とする撮像装置。
【請求項２】
前記組み合わせて記録する処理が、前記記録媒体に記録されている画像の一部と、前記撮影中の動画像とを交互に記録するものであることを特徴とする請求項１記載の撮像装置。
【請求項３】
前記組み合わせて記録する処理が、前記記録媒体に記録されている画像の一部を縮小し、前記撮影中の動画像の画面の一部にはめ込んで記録するものであることを特徴とする請求項１記載の撮像装置。
【請求項４】
被写体を撮影して得られた動画像を記録媒体に記録する際、撮影中の動画像の撮影可能な残り時間を取得し、取得した前記残り時間が所定の時間以下であるとき、前記記録媒体に記録されている画像の一部を撮影中の動画像に組み合わせて前記記録媒体に記録することを特徴とする記録方法。
【請求項５】
前記組み合わせて記録する処理が、前記記録媒体に記録されている画像の一部と、前記撮影中の動画像とを交互に記録するものであることを特徴とする請求項４記載の記録方法
【請求項６】
前記組み合わせて記録する処理が、前記記録媒体に記録されている画像の一部を縮小し、前記撮影中の動画像の画面の一部にはめ込んで記録するものであることを特徴とする請求項４記載の記録方法。
【発明の詳細な説明】
【技術分野】
【０００１】
本発明は、被写体を撮影して得られた動画像を記録媒体に記録する撮像装置及びその記録方法に関するものである。
【背景技術】
【０００２】
被写体を撮影して得られた静止画像および動画像を記録媒体に記録するデジタルカメラおよびデジタルビデオカメラ等の撮像装置において、たとえば、特許文献１では、記録媒体の空き容量を読み出し、動画の撮影可能時間および静止画の撮影可能枚数をそれぞれ算出して表示するようにした撮像装置が提案されている。さらに、特許文献２では、静止画撮影可能枚数と動画撮影可能時間をグラフとして表示するようにした撮像装置が提案されている。
【特許文献１】特開２００１−６９４４２号公報
【特許文献２】特開２００７−２８５８１号公報
【発明の開示】
【発明が解決しようとする課題】
【０００３】
しかしながら、上記従来の撮像装置による動画像の撮影は、その撮影時間が、一定時間の動画撮影が行われるように予め設定された連続撮影時間に達したとき、記録媒体の空き容量がゼロになったとき、および電池の残量がゼロになったとき等の場合に、終了ボタンの押下のようなユーザーによる手動の指示によらず、自動終了する。このように撮影が自動的に終了した動画像は、再生したときに何の前ぶれもなく突然終了するので、その終わり方が唐突な印象を与えるという問題がある。
【０００４】
そこで、そのような唐突な再生終了をなくすために、撮像装置により得られた動画像をパソコン等に移して、動画編集ソフトにより終了前の部分に画像を加えるなど種々の加工を加えることも可能ではあるが、そのためには、撮影により得られた各動画像をそれぞれ手動で編集する煩雑な操作を要する。
【０００５】
本発明は、上記事情に鑑み、撮影が自動終了した動画像であっても、自然な終止感が得られる撮像装置およびその記録方法を提供することを目的とするものである。
【課題を解決するための手段】
【０００６】
本発明の撮像装置は、被写体を撮影して得られた動画像を記録媒体に記録する撮像装置において、撮影中の動画像の撮影可能な残り時間を取得する残時間取得手段と、その残時間取得手段により取得した残り時間が所定の時間以下であるとき、記録媒体に記録されている画像の一部を撮影中の動画像に組み合わせて記録媒体に記録する記録手段とを備えたことを特徴とするものである。
【０００７】
このように、記録媒体に記録されている画像の一部を撮影中の動画像に組み合わせて記録する機能を、本書類ではフラッシュバック機能と呼ぶ。
【０００８】
本発明の記録方法は、被写体を撮影して得られた動画像を記録媒体に記録する際、撮影中の動画像の撮影可能な残り時間を取得し、取得した残り時間が所定の時間以下であるとき、記録媒体に記録されている画像の一部を撮影中の動画像に組み合わせて記録媒体に記録することを特徴とするものである。
【０００９】
上記組み合わせて記録する処理は、記録媒体に記録されている画像の一部と、撮影中の動画像とを交互に記録するものであってもよい。
【００１０】
また、上記組み合わせて記録する処理は、記録媒体に記録されている画像の一部を縮小し、撮影中の動画像の画面の一部にはめ込んで記録するものであってもよい。
【００１１】
ここで、「記録媒体」は、カセット入り磁気テープのように撮像装置に挿入して使用する交換可能な記録媒体、撮像装置に内蔵されている内蔵記録媒体に限らず、撮像装置に接続されている外部記録媒体がある場合には、その外部記録媒体をも含む。
【００１２】
また、「記録手段に記録されている画像」とは、同じ撮像装置で以前に記録された画像であってもよいし、記録手段に予め記録されている、同じ撮像装置で撮影したものとは異なる画像であってもよい。ここで「画像」は、静止画像と動画像のいずれをも含む。
【００１３】
また、「撮影可能な残り時間」とは、終了ボタンの押下のようなユーザーによる手動の指示によらず、自動的に撮影が終了するまでの時間を広く意味するものであり、たとえば、動画像の連続撮影時間が予め設定されている場合には、動画像の撮影時間がその設定された連続撮影時間に達して撮影が自動終了するまでの時間、記録媒体の空き容量の不足により撮影が自動終了するまでの時間、電池切れにより撮影が自動終了するまでの時間等の予め検出可能な撮影可能な残り時間を意味するものである。
【発明の効果】
【００１４】
本発明の撮像装置およびその記録方法によれば、被写体を撮影して得られた動画像を記録媒体に記録する際、動画像の撮影が自動終了するまでの残り時間が所定の時間以下であるとき、記録媒体に記録されている画像の一部を撮影中の動画像に組み合わせて記録媒体に記録するので、この撮像装置または記録方法により撮影された動画像を再生したときに、再生の終了が近いことを鑑賞者に間接的に伝えることができ、その終了時における唐突感を低減させることができる。
【００１５】
さらに、上記装置および記録方法においては、撮影と同時に処理が行なわれ、撮影後に別途の煩雑な編集処理を必要としないため、利便性を向上させることができる。
【発明を実施するための最良の形態】
【００１６】
以下、図面を参照して本発明の撮像装置をデジタルカメラに適用した一実施形態について説明する。なお、本発明の撮像装置は、デジタルカメラに限定されず、例えば、カメラ付き携帯電話、カメラ付きＰＤＡ等、電子撮像機能を備えた他の電子機器に対しても適用可能である。
【００１７】
図１は本発明の一実施形態におけるデジタルカメラ１０の内部構成を示す概略ブロック図である。デジタルカメラ１０の撮影レンズ１２は、１枚又は複数枚のレンズで構成され、単一の焦点距離（固定焦点）のレンズでもよいし、ズームレンズの如く焦点距離可変のものでもよい。撮影レンズ１２を通過した光は、絞り１４によって光量が調節された後、撮像デバイス１６に入射する。撮像デバイス１６には、ＣＣＤイメージセンサ、ＣＭＯＳセンサなど種々のデバイスを適用できる。
【００１８】
撮像デバイス１６の受光面は、多数のフォトセンサが平面的に配列された構造を有し、撮像デバイス１６の受光面に結像された被写体像は、各フォトセンサによって入射光量に応じた量の信号電荷に変換される。こうして蓄積された信号電荷は、タイミングジェネレータ（ＴＧ）１８から与えられるタイミングパルスに従って読み出され、信号電荷に応じた電圧信号（画像信号）として順次出力される。なお、撮像デバイス１６は、各フォトセンサに蓄積される電荷の蓄積時間（シャッタースピード）を制御する、いわゆる電子シャッター機能を有している。
【００１９】
撮像デバイス１６から読み出された画像信号は、ＣＤＳ回路２０に送られ、ここで相関二重サンプリング処理及び色分離処理などの信号処理が行われた後、ゲインコントロールアンプ（ＧＣＡ）２２により、各色信号の信号レベルの調整が行われる。
【００２０】
ＧＣＡ２２の出力信号は、Ａ／Ｄ変換器２４によってデジタル信号に変換された後、信号処理部２６に送られる。ＴＧ１８は、コントローラ３０の指令に従って撮像デバイス１６、ＣＤＳ回路２０及びＡ／Ｄ変換器２４に対してタイミング信号を与えており、このタイミング信号によって各回路の同期がとられている。また、コントローラ３０は、ＧＣＡ２２のゲインを制御するとともに、信号処理部２６の動作を制御する。
【００２１】
信号処理部２６は、輝度・色差信号生成回路、ガンマ補正回路、シャープネス補正回路、コントラスト補正回路、ホワイトバランス補正回路、圧縮伸張回路等を含むデジタルシグナルプロセッサ（ＤＳＰ）で構成されており、コントローラ３０からのコマンドに従って画像信号を処理する。
【００２２】
信号処理部２６に入力された画像データは、輝度信号（Ｙ信号）及び色差信号（Ｃｒ、Ｃｂ 信号）に変換されるとともに、ガンマ補正等の所定の処理が施された後、メモリ３２に格納される。撮影画像を表示出力する場合、メモリ３２に記憶された画像データは、コントローラ３０の指令に従って読み出され、表示用の所定の信号形式に変換された後、表示装置３４に出力される。表示装置３４は、デジタルカメラ１０に設けられた液晶ディスプレイ又はケーブルその他の信号伝達手段によって接続される外部の画像表示装置を用いることができる。こうして、当該画像データの画像内容が表示装置３４の画面上に表示される。
【００２３】
撮像デバイス１６から出力される画像信号によってメモリ３２内の画像データが定期的に書き換えられ、その画像データから生成される映像信号が表示装置３４に供給されることにより、撮像デバイス１６を介して入力する画像がリアルタイムに動画像として表示装置３４に表示される。
【００２４】
撮影者は表示装置３４の画面を見ながら、或いは図示せぬ光学ファインダーによって撮影画角を確認することができる。このデジタルカメラ１０は、静止画及び動画の記録再生が可能なデジタルカメラであり、操作部３６に含まれるモード選択手段によって静止画撮影モード、動画撮影モード及び再生モードを選択できる。また、操作部３６には、モード選択手段の他、レリーズボタン、十字ボタン、メニューボタンなどの指示入力手段が含まれる。レリーズボタンは、静止画の記録指示ボタンとして使用されるとともに、動画の録画開始／停止ボタンとして兼用される。もちろん、静止画記録の指示ボタンと、動画記録の指示ボタンをそれぞれ別々に設ける態様も可能である。
【００２５】
静止画記録時には、レリーズボタンの押下操作により、記録指示信号が発せられ、該指示信号の受入に呼応して、記録用の画像データの取り込み（露光及びデータ読み出し）が開始される。取り込まれた画像データは、信号処理部２６の圧縮伸張回路においてＪＰＥＧその他の所定の形式に従って圧縮され、記録メディア３８に記録される。動画記録時は、レリーズボタンの押下によって録画動作がスタートし、もう一度レリーズボタンを押下すると録画動作が停止する。また、連続撮影時間を予め設定しておき、一回のレリーズボタン押下によって一定時間の動画撮影を行うようにしてもよい。また、レリーズボタン押下継続期間中、録画動作を行い、押下解除により録画を停止する構成も可能である。
【００２６】
記録メディア３８は、スマートメディア、ＰＣカード、コンパクトフラッシュ（登録商標）、磁気ディスク、光ディスク、光磁気ディスク、メモリスティックなど種々の形態が可能であり、使用される媒体に応じた信号処理手段とインターフェースが適用される。異種、同種の記録メディアを問わず、複数の媒体を装着可能な構成にしてもよい。また、リムーバブルメディアに限らず、デジタルカメラ１０に内蔵された記録メディア（内部メモリ）であってもよい。内部メモリに画像を保存する態様の場合、データをパソコン等の外部機器に転送するための通信用インターフェースが設けられる。
【００２７】
操作部３６のモード選択手段によって再生モードが設定されると、記録メディア３８から画像データが読み出され、伸張処理その他の必要な信号処理を経て表示装置３４に出力される。
【００２８】
コントローラ３０は、デジタルカメラ１０の本体各部を統括制御する制御部であり、中央演算処理装置（ＣＰＵ）及びその周辺回路を含む。コントローラ３０は、操作部３６から受入する入力信号に基づき、対応する回路の動作を制御するとともに、オートフォーカス（ＡＦ）制御、自動露出（ＡＥ）制御、表示装置３４の表示制御、及び記録制御等を行う。具体的には、撮像デバイス１６から出力される画像信号に基づいて、ＡＦ評価値の演算やＡＥ演算などの各種演算を行い、その演算結果に基づいて図示せぬレンズ駆動部を制御して撮影レンズ１２を合焦位置に移動させるとともに、図示せぬ絞り駆動部を制御して適正な絞りに設定し、かつ撮像デバイス１６の電荷蓄積時間を制御する。また、デジタルカメラ１０の動作モードが動画撮影モードである場合に、動画像の撮影時において、その撮影中の動画像の撮影可能な残り時間を取得し、取得した残り時間が所定の設定された時間Ｔｏ以下であるとき、記録媒体に記録されている画像の一部を撮影中の動画像に組み合わせて記録媒体に記録するよう、画像処理部４４、記録メディア３８、バッファ４４等を制御する。
【００２９】
ここで、残り時間の取得方法の具体例を以下に示す。
【００３０】
（１）設定された連続撮影時間に基づいて残り時間を取得する方法
動画像を撮影する際の連続撮影時間の設定を操作部３６に含まれる指示入力手段により受け付け、一の動画像の撮影時において、撮影時間が設定された連続撮影時間に達するまでの残り時間を、その連続撮影時間から撮影時間を減算して取得する。
【００３１】
（２）記録媒体の空き容量に基づいて残り時間を取得する方法
記録メディアの空き容量を検出し、選択された動画モード（画質等の設定）に応じて、同一の設定で撮影を続けた場合における記録メディアの容量の消費率を算出し、検出された空き容量を消費率で除算して、記録メディアに記録可能な残り撮影可能時間を取得する。
【００３２】
（３）電池の残量に基づいて残り時間を取得する方法
電池の残量を検出し、選択された動画モード（画質等の設定）に応じて、同一の設定で撮影を続けた場合における電池の消費率を算出し、検出された残量を消費率で除算して、残り時間を取得する。
【００３３】
画像処理部４２は、動画像の撮影時において、その撮影中の動画像の撮影可能な残り時間が所定の設定された時間Ｔｏ以下であるとき、コントローラ３０の指令により、記録メディア３８に記録されている画像の一部Ｍを決定し、決定された一部の画像Ｍを撮影中の動画像に組み合わせて記録する処理を行う。
【００３４】
記録メディア３８に記録されている画像の一部Ｍを決定する方法の具体例を以下に示す。ここでは、組み合わせて記録する画像の一部としてＮ個の画像を決定する。
【００３５】
（１）撮影中の動画像を撮影時間でＮ等分した各部分動画像の先頭から所定時間分の画像を時系列順にあるいはランダムにＭ１〜ＭＮとして決定する。
【００３６】
（２）スポーツの試合等を撮影している場合には、印象的なシーンであるほど、歓声等により画像とともに記録される音が大きくなる傾向があることから、記録メディア３８に記録されている画像中の各シーンがその映像とともに記録された音量の大きさや変化に基づいて印象的なシーンであるかどうかを評価し、その評価値が高い順にＮシーンを決定し、各決定されたシーンを含む所定時間分の画像を、評価値が高い順、低い順、あるいはランダムにＭ１〜ＭＮとして決定する。
【００３７】
（３）撮影対象となる人物の顔画像等の所定の対象物が含まれる画像であるほど、印象的なシーンである可能性が高いことから、記録メディア３８に記録されている画像中の各シーンから所望の対象物を検出し、その検出された対象物の画面内で占める比率や位置等に基づいてそのシーンが印象的なシーンであるかどうかを評価し、その評価値が高い順にＮシーンを決定し、各決定されたシーンを含む所定時間分の画像を、評価値が高い順、低い順、あるいはランダムにＭ１〜ＭＮとして決定する。ここで、画像から所定の対象を検出する方法としては、例えば、特開2006−202276号公報に記載されているように、人物の顔等の検出対象が既知である複数のサンプル画像における各画素の特徴量、たとえば画像上の各画素における濃度が変化する方向、変化の大きさ等を予め学習することにより、検出対象であるか否かを識別する識別器を特徴量に対応させて取得し、対象画像上に該識別器を走査させることにより検出対象を検出する公知の技術を用いることができる。
【００３８】
なお、上記決定処理においては、画像Ｍ１〜ＭＮ毎に、その画像が組み合わせて記録される前までに決定されるようにすればよく、一の画像Ｍｉ（１≦ｉ≦Ｍ）が組み合わせて記録されるときに、他の画像Ｍｊ（ｊ≠ｉ、１≦ｊ≦Ｍ）を決定するようにしてもよい。
【００３９】
上述した方法等により画像処理部４２において決定された各画像Ｍ１〜ＭＮは、バッファ４４に順次一時的に記憶され、撮影中の動画像に組み合わせて記録メディア３８に記録される。その記録される動画像をメモリ３２に一時的に格納して、表示装置３４の画面上に表示することもできる。
【００４０】
次いで、デジタルカメラ１０において行われる処理について説明する。
【００４１】
動画像の撮影を開始する前に、デジタルカメラ１の表示装置３４に、撮影時における連続撮影時間、フラッシュバック機能の使用等の各種設定を可能とするため、設定画面を表示し、操作部の指示入力手段によるユーザーの入力に応じてそれらの設定を行うことができる。
【００４２】
図２は、連続撮影時間の設定する処理を示すフローチャートである。まず、図３Ａに示すように、表示装置３４の画面５０に「連続撮影時間を設定しますか？」の問い合わせとともに、「YES」および「NO」の選択肢を表示し、表示された選択肢から操作者に選択させる（ステップＳＴ１）。ステップＳＴ１において「YES」が選択されると、図３Ｂに示すように、表示装置３４の画面５０に「連続撮影時間を何分に設定しますか？」の問い合わせを表示し、操作者に連続撮影時間の設定時間を入力させる。（ステップＳＴ１）。ステップＳＴ１において「NO」が選択されると処理を終了する。
【００４３】
ここでは、ユーザーに所望の時間を直接入力させる場合について説明したが、操作者にあらかじめ定められた１５分、３０分および６０分等の選択肢から選択させるようにしてもよい。
【００４４】
また、フラッシュバック機能を使用するか否かを、図３Ａに類似した設定画面（本書類では省略）を表示装置３４の画面５０に表示し「オン」および「オフ」から選択させるようにしてもよい。以下ではフラッシュバック機能が「オン」に設定されているものとして説明する。
【００４５】
なお、上記撮影時における各種設定の結果は、メモリ３２に記憶される。
【００４６】
図４は、デジタルカメラ１による動画像の撮影時に行われる処理の一例を示すフローチャートである。
【００４７】
まず、動画像の撮影および記録が開始されると、コントローラ３０は、連続記録時間が設定されているか否かを判定し（ステップＳＴ１１）、ステップＳＴ１１が肯定されると、その設定された連続記録時間に基づいて撮影中の動画像の撮影可能な残り時間を取得する（ステップＳＴ１２）。一方、ステップＳＴ１１が否定されると、記録メディア３８の空き容量を検出し（ステップＳＴ１５）、検出した記録メディア３８の空き容量に基づいて撮影中の動画像の撮影可能な残り時間を取得する（ステップＳＴ１２）。次いで、ステップＳＴ１２において取得した残り時間が予め設定された一定値（所定の時間）Ｔｏ以下であるか否かを判断し（ステップＳＴ１３）、ステップＳＴ１３が否定されるとステップＳＴ１２に戻って、残り時間が所定の時間ｔｋ以下になるまでステップＳＴ１２以降の処理を繰り返す。残り時間が一定値Ｔｏ以下となり、ステップＳＴ１３が肯定されると、画像処理部４２により、記録メディア３８に記録されている画像の一部を撮影中の動画像に組み合わせて記録し（ステップＳ１４）、残り時間がゼロになると動画像の撮影および記録を停止して処理を終了する。
【００４８】
ここで、一定値Ｔｏとしては、その動画像の鑑賞時に、その動画像の終了が近いことを鑑賞者に間接的に伝えることができる任意の長さの時間を予め設定するものとし、たとえば６０秒程度とすることができる。
【００４９】
次に、ステップＳＴ１４における、組み合わせて記録する処理の一形態として、記録メディア３８に記録されている画像の一部と撮影中の動画像とを交互に記録する処理について説明する。
【００５０】
図５は記録メディア３８に記録されている画像の一部と撮影中の動画像とを交互に記録する処理のフローチャートであり、図６はその処理により記録された動画像の一例を示す概念図である。
【００５１】
撮影中の動画像の撮影可能な残り時間が予め設定した一定値（所定の時間）Ｔｏ以下になると、まず、交互に記録する処理が何回繰り返されたかを表す変数Countを１に設定する（ステップＳＴ２１）。そして、上述した決定方法により決定され、バッファ４４に記憶されたCount番目の画像ＭCountを、撮影中の画像Ｐの代わりに、記録メディア３８にｔｏ秒間（ｔｏ＜（Ｔｏ／Ｎ））記録する（ステップＳＴ２２）。次いで、撮影中の画像Ｐを(（Ｔｏ／Ｎ）-ｔｏ)秒間記録する（ステップＳＴ２３）。そして、変数Countの値がＮであるか否かを判定し（ステップＳＴ２４）、ステップＳＴ２４が否定されると、変数Countに１を加え（ステップＳＴ２５）、ステップＳＴ２２に戻って、ステップＳＴ２４が肯定されるまでステップＳＴ２２以降の処理を繰り返す。ステップＳＴ２４が肯定されると残り記録時間がゼロになるので、撮影が終了する。
【００５２】
これにより、図６に示すように、残り時間が一定値（所定の時間）Ｔｏ以下のとき、記録メディア３８に記録されている画像の一部であるＮ個の画像Ｍ１〜ＭＮと撮影中の動画像Ｐとが交互に記録された動画像が得られる。
【００５３】
ここで、一定値（所定の時間）Ｔｏを６０秒とし、交互に記録する処理の回数Ｎを１０回とし、各画像Ｍ１〜Ｍ１０を２秒ずつ６秒に１回の割合で撮影中の動画像Ｐと交互に記録するようにしてもよい。
【００５４】
なお、上記交互に記録する処理においては、その各画像とともに取り込まれた音も交互に記録するようにしてもよいが、画像のみを交互に記録し、音は撮影中の画像とともに取り込まれる音を途切れることなく記録することがより好ましい。
【００５５】
次に、図７Ａおよび図７Ｂを参照して、次に、図４のステップＳＴ１４における、組み合わせて記録する処理の他の一形態として、記録メディア３８に記録されている画像の一部を縮小し、撮影中の動画像の画面の一部にはめ込んで記録する処理について説明する。
【００５６】
残り時間が一定値（所定の時間）Ｔｏ以下のとき、上述した決定方法により決定され、バッファ４４に記憶された画像Ｍ１〜ＭＮを順次縮小し、図７Ａに示すように、撮影中の動画像の画面の一部である、はめ込み画面ＩＫに、Ｔｏ／Ｎ秒に１回の割合で、ｔｏ秒ずつはめ込んで記録する。
【００５７】
たとえば、一定値（所定の時間）Ｔｏを６０秒、はめ込んで記録する処理の回数Ｎを１０回とし、各画像Ｍ１〜Ｍ１０を６秒（＝６０秒／１０回）に１回の割合で、２秒間ずつ順次はめ込んで記録する。なお、画像Ｍ１〜Ｍ１０を６秒ずつはめ込んで記録する場合には、はめ込んだ画像が途切れない。
【００５８】
また、図７Ｂに示すように、複数のはめ込む画面ＩＡ、ＩＢ、ＩＣに、縮小した画像Ｍ１〜ＭＮを順次はめ込んで記録するようにしてもよい。
【００５９】
たとえば、以下の表１に示すように、残り時間が６０秒のときから、左端のはめ込み画面ＩＡに画像Ｍ１、Ｍ４、Ｍ７、Ｍ１０を順次１８秒間ずつはめ込んで記録し（Ｍ１０は、６秒間）、残り時間が５４秒のときから、中央のはめ込み画面ＩＢに画像Ｍ２、Ｍ５、Ｍ８を順次１８秒間ずつはめ込んで記録し、残り時間が４８秒のときから、右端のはめ込み画面ＩＣに画像Ｍ３、Ｍ６、Ｍ９を順次１８秒間ずつはめ込んで記録する（Ｍ８は、１２秒間）。
【表１】
2008288830.tif 000003
【００６０】
他にも、残り時間が６０秒のときから、左端のはめ込み画面ＩＡに画像Ｍ１〜Ｍ１０を順次６秒間ずつはめ込んで記録し、残り時間が５４秒のときから、中央のはめ込み画面ＩＢに画像Ｍ１〜Ｍ９を順次６秒間ずつはめ込んで記録し、残り時間が４８秒のときから、右端のはめ込み画面ＩＣに画像Ｍ１〜Ｍ８を順次６秒間ずつはめ込んで記録する等、様々なバリエーションが考えられる。
【００６１】
なお、複数個の画像を同時にはめ込んで記録する場合には、同時にはめ込んで記録する個数以上の画像をバッファ４４に予め記録しておくことが望ましい。
【００６２】
このように、上記実施の形態においては、撮影中の動画像の撮影可能な残り時間を取得し、取得した残り時間が所定の時間以下であるとき、記録メディアに記録されている画像の一部を撮影中の動画像に組み合わせて記録メディアに記録するようにしている。このことにより、動画像の撮影時間が予め設定された連続撮影時間に達して撮影が自動終了する場合や、記録メディアの空き容量の不足により撮影が自動終了する場合や、電池切れにより撮影が自動終了する場合であっても、その撮影により得られた動画像の終了が近くなると、それを鑑賞者に間接的に伝えることができるので、終了時における唐突感を低減させることができる。
【図面の簡単な説明】
【００６３】
【図１】本発明の一実施形態におけるデジタルカメラの内部構成を示す概略ブロック図
【図２】連続撮影時間の設定処理を示すフローチャート
【図３Ａ】連続撮影時間の設定／非設定をユーザーに選択させる際に表示装置に表示される設定画面
【図３Ｂ】連続撮影時間をユーザーに設定させる際に表示装置に表示される設定画面
【図４】動画像の撮影時に行われる処理を示すフローチャート
【図５】交互に記録する処理を示すフローチャート
【図６】交互に記録する処理により記録された動画像を示す概念図
【図７Ａ】はめ込んで記録する処理を説明するための図
【図７Ｂ】はめ込んで記録する処理を説明するための図
【符号の説明】
【００６４】
１０    デジタルカメラ（撮像装置）
２０    操作部
２６    信号処理部
３０    コントローラ（残時間取得手段）
３２    メモリ
３４    表示装置
３６    操作部
３８    記録メディア（記録媒体）
４２    画像処理部（記録手段）
４４    バッファ
【図１】
2008288830.tif 000004
【図２】
2008288830.tif 000005
【図３Ａ】
2008288830.tif 000006
【図３Ｂ】
2008288830.tif 000007
【図４】
2008288830.tif 000008
【図５】
2008288830.tif 000009
【図６】
2008288830.tif 000010
【図７Ａ】
2008288830.tif 000011
【図７Ｂ】
2008288830.tif 000012